(57)【要約】【課題】巻取りロールからなる基材上に連続的な印刷画像が形成されてなる印刷物に対して、比較的安価に、かつ簡便に真偽識別可能な偽造防止機能を付与する。【解決手段】印刷版を用いて、連続的な画像を周期的に印刷する工程と、前記印刷版による周期的な印刷画像に対し、少なくとも２周期以上の印刷画像に亘って、複数の異なる付加画像を印刷するオンデマンド印刷工程と、を有する偽造防止印刷方法によって、真偽識別可能な巻取りロール状印刷物を得る。【選択図】図２
2018069562.tif 000002
【特許請求の範囲】
【請求項１】
巻取りロールからなる基材上に印刷画像を有する印刷物に対する偽造防止印刷方法であって、
印刷版を用いて、前記印刷画像を周期的に印刷する工程と、
前記印刷版による周期的な印刷画像に対し、少なくとも隣接する周期毎に、異なる付加画像を印刷するオンデマンド印刷工程と、を有することを特徴とする偽造防止印刷方法。
【請求項２】
前記付加画像が、微細な文字、記号、数字、コードの何れか、または２つ以上の組み合わせからなることを特徴とする請求項１に記載の偽造防止印刷方法。
【請求項３】
前記コードが、ドットコードであることを特徴とする請求項２に記載の偽造防止印刷方法。
【請求項４】
前記付加画像が、特定の波長領域の光線に対して吸収ピーク特性を有し、前記吸収ピークとは異なる波長領域に発光ピーク特性を有する材料を含むことを特徴とする請求項１から請求項３の何れかに記載の偽造防止印刷方法。
【請求項５】
前記印刷版を用いた連続的な画像印刷部と、前記付加画像部とが、８００ｎｍ以上の波長領域において、光吸収特性が異なることを特徴とする請求項１から請求項３の何れかに記載の偽造防止印刷方法。
【発明の詳細な説明】
【技術分野】
【０００１】
本発明は、巻取りロール状の連続模様などの連続した画像を有する印刷物に対して、偽造防止効果を付与するための偽造防止印刷技術に関する。
【背景技術】
【０００２】
巻取りロールからなる基材に対して、連続的な印刷画像を施した印刷物の例としては、住宅、店舗等の建築物や、電車、自動車などの車輌や、飛行機、船舶等の内装、外装材、床材、壁紙、天井等の表面に用いる化粧材や包装紙などのような比較的面積の大きい印刷物などを例として挙げることができる。
【０００３】
従来、このような印刷物において、キャラクター柄や人気の高い模様が描かれた印刷物などでは、偽造品が流通するなどして問題となることがあった。
【０００４】
キャラクター柄等で偽造品が発生した場合には、版権の問題が発生する場合があり、また化粧材などで偽造品が発生した場合には、本来化粧材が有するべき機能を充たしていない場合などがあり、大きな問題となる。
【０００５】
しかし、これまで化粧材などの印刷物そのものに対しては、十分な偽造防止手段がなされておらず、問題が発生した場合に、それが本物であったのか、偽物であったのかを判別することは、極めて困難であった。
【０００６】
また、物品の真偽識別の手段として、特許文献１では、物品中に固有の構造パターンを有する材料を添加して、その材料の構造パターンを読取ることにより、真偽識別することが提案されている。
【０００７】
しかし、このような方法では、物品毎に添加される材料の構造パターンを一つ一つ事前に記録しておくことが必要であり、専用のシステムを構築しておく必要があった。
【先行技術文献】
【特許文献】
【０００８】
【特許文献１】特表２００２−５２２２６５号公報
【発明の概要】
【発明が解決しようとする課題】
【０００９】
本発明は、以上のような問題に鑑み、比較的面積の大きい連続的な画像を有する印刷物に対して、比較的安価で、容易に真偽識別が可能な偽造防止を施すための偽造防止印刷を提供しようとするものである。
【課題を解決するための手段】
【００１０】
前記目的を達成するための第一の発明は、巻取りロールからなる基材上に印刷画像を有する印刷物に対する偽造防止印刷方法であって、印刷版を用いて、前記印刷画像を周期的に印刷する工程と、前記印刷版による周期的な印刷画像に対し、少なくとも隣接する周期毎に、異なる付加画像を印刷するオンデマンド印刷工程と、を有することを特徴とする偽造防止印刷方法である。
【００１１】
次に第二の発明は、前記付加画像が、微細な文字、記号、数字、コードの何れか、または２つ以上の組み合わせからなることを特徴とする請求項１に記載の偽造防止印刷方法で
ある。
【００１２】
第三の発明は、前記コードが、ドットコードであることを特徴とする請求項２に記載の偽造防止印刷方法である。
【００１３】
第四の発明は、前記付加画像が、特定の波長領域の光線に対して吸収ピーク特性を有し、前記吸収ピークとは異なる波長領域に発光ピーク特性を有する材料を含むことを特徴とする請求項１から請求項３の何れかに記載の偽造防止印刷方法である。
【００１４】
第五の発明は、前記印刷版を用いた連続的な画像印刷部と、前記付加画像部とが、８００ｎｍ以上の波長領域において、光吸収特性が異なることを特徴とする請求項１から請求項３の何れかに記載の偽造防止印刷方法である。
【発明の効果】
【００１５】
上述のような偽造防止印刷方法を用いることによって、比較的安価で、且つ簡便に真偽識別が可能な巻取りロール状印刷物を提供することが可能となる。
【図面の簡単な説明】
【００１６】
【図１】本発明の実施形態に係わる印刷機の例を示す概念図である。
【図２】本発明の実施形態に係わる周期毎の印刷例を示す平面図である。（Ａ−１）：１周期目  （Ａ−２）：２周期目  （Ａ−３）：３周期目
【図３】本発明の実施形態に係る巻取りロール印刷物とこれに対する偽造品の例を示す平面図である。Ｘ：真正品  Ｙ：偽造品
【図４】本発明の実施形態に係る別の周期毎の印刷例を示す平面図である。（Ｂ−１）：１周期目  （Ｂ−２）：２周期目  （Ｂ−３）：３周期目
【図５】本発明の実施形態に係る巻取りロール印刷物の例を示す平面図である。
【図６】本発明の実施形態に係るコード印刷の例を示す平面図である。
【発明を実施するための形態】
【００１７】
以下、図面を参照しながら本発明の実施形態について詳細に説明する。
【００１８】
図１は、本発明の実施形態に係わる印刷機の例を示す概念図である。図から判るとおり、印刷機１は、巻取りロール状の基材を、巻出部１１より巻き出し、印刷版であるグラビア版１２を用いて、連続的な画像の印刷が実施される。
【００１９】
その後、オンデマンド印刷工程であるインクジェット１３によって、付加画像の印刷が実施され、巻取部１４において巻取りが実施される。
【００２０】
ここで、図１では、印刷版として、グラビア版を用いた印刷を例示しているが、必ずしもこれに限定されるものではなく、オフセット印刷やスクリーン印刷、フレキソ印刷などの版を用いて印刷する公知印刷技術を任意に用いることができる。
【００２１】
また、図１では、オンデマンド印刷としてインクジェット印刷を例示しているが、必ずしもこれに限定されるものではなく、乾式あるいは湿式現像型のレーザー印刷方式、いわ
ゆるデジタルオフセット印刷方式などといった公知のオンデマンド印刷方式を任意に採用することができる。
【００２２】
図２は、本発明の実施形態に係わる周期毎の印刷例を示す平面図である。印刷版による印刷時の１周期目において、印刷版による印刷部２１では、連続的な絵柄が設けられており、部分的にインクジェットなどのオンデマンド印刷法によって絵柄を形成することにより付加画像２２、２２’が形成される。
【００２３】
次いで、２周期目においては、オンデマンド印刷法によって形成される絵柄のみが付加画像２３、２３’のように変化して設けられる。
【００２４】
３周期目も同様に、オンデマンド印刷法によって形成される絵柄のみが付加画像２４、２４’のように変化して設けられている。
【００２５】
このようにすることにより、一見すると大きな変化のない連続柄のように見えながら、巻取りロールの印刷物として、詳細に観察した場合には、変化していることを確認することができる。
【００２６】
従って、図３に示すように、真正巻取りロール状印刷物（２５−Ｘ）の一部の画像部にのみ着目して偽造巻取りロール状印刷物（２５−Ｙ）を作製した場合、１周期目の付加画像部２２、２２’が同じものができたとしても、２周期目以降の付加画像部２３、２３’、２４、２４’が異なる事となる。
【００２７】
これによって、巻取りロール印刷物やこれらの印刷物を用いた比較的面積の大きい大型商品を観察することにより、真正巻取りロール状印刷物（２５−Ｘ）であるか、偽造巻取りロール状印刷物（２５−Ｙ）であるかの真偽識別が可能となる。
【００２８】
また、図４に示すように、印刷版による印刷部３１に対して、通常では判別しにくい程度に微細な文字や数字、記号、コードなどが付加画像３２、３３、３４として設けられてあっても良い。
【００２９】
ここで、付加画像３２、３３、３４として設ける文字や数字、記号、コードの内容として、単にランダムな出力内容を組み合わせて用いることもできるが、例えば、印刷開始からの距離や印刷時間、日時、ロット情報、企業情報、ＵＲＬ情報などを盛り込み、各情報を組み合わせて付加画像を構成することにより、一意でない情報の印刷が可能となる。
【００３０】
これにより、偽造しようとする悪意ある第三者に対する障壁が増すと共に、出荷された印刷物の品質管理上の情報としても活用することが可能となる。
【００３１】
また、通常では判別しいくい程度に微細な情報として設けることにより、最終ユーザーにとっては、図５に示す様に違和感のない絵柄印刷物として使用することが可能となる。
【００３２】
ここで、上述のコードとしては、所謂バーコードや、ＱＲコード（登録商標）などに代表される二次元コード、カラーコード、ドットコードなど各種のコードを用いることができる。
【００３３】
特に、図６に例示するようなドットコード４２は通常の観察ではコードであることが判別しにくく、印刷版による印刷部４１に対する影響も少なく、好適であると言える。
【００３４】
このようなコードを用いることにより、ネットワークとの連動が容易となり、より多く
の情報を組み込むことが可能となることから、偽造防止性、商品管理性などの面からも有利であると言える。
【００３５】
また、付加画像が存在することを最終ユーザーや悪意ある第三者に対して、認識されることがより困難となる手法として、付加画像を形成するオンデマンド印刷のインキに、特定波長領域の光線に対して、吸収ピーク特性を有し、この吸収ピーク波長とは異なる波長領域に発光ピーク特性を有する各種発光材料を含むインキを用いても良い。
【００３６】
更には、印刷版による印刷部と付加画像とが、８００ｎｍ以上の長波長領域における光吸収特性が異なるように、赤外線吸収材料などが用いられてあっても良い。
【００３７】
発光材料としては、蛍光色素、アップコンバージョン蛍光色素、量子ドット、燐光色素などの公知材料を挙げることができる。
【００３８】
紫外線などによって励起し、可視蛍光を発する発光色素としては、無機蛍光色素と有機蛍光色素とがあり、従来から知られ実用化されている。
【００３９】
無機蛍光色素の例としては、希土類金属を含むツリウム賦活バナジン酸イットリウム、やツリウム賦活タングステン酸カルシウム、ユーロピウム賦活バナジン酸イットリウムや、同じく希土類金属により賦活されたサイアロンなどを例として挙げることができる。
【００４０】
また、有機蛍光色素としては、クマリン類、ベンゾオキサジン誘導体、ユーロピウム錯体などを挙げることができる。
【００４１】
更には、アップコンバージョン蛍光色素の例としては、Ｃａ、Ｂａ、Ｍｇ、Ｚｎ、Ｃｄなどの酸化物、硫化物、ケイ酸塩、リン酸塩、タングステン酸塩などの結晶を主成分として、Ｍｎ、Ｚｎ、Ａｇ、Ｃｕ、Ｓｂ、Ｐｂなどの金属元素もしくは、ランタノイド類などの希土類元素を賦活剤として添加して焼成した顔料や、ディスプロシウム臭化物、臭化ガドリニウムなどを母材とし、発光源のエルビウムイオンと吸光源のディスプロシウムイオンを含むものなどを例示することができる。
【００４２】
量子ドットの例としては、ＣｄＳ、ＣｄＳｅ、コア・シェル型ＣｄＳｅ／ＺｎＳ、合金型ＣｄＳＳｅ／ＺｎＳなどの材料を挙げることができる。
【００４３】
また、燐光色素の例としては、ＺｎＳやＣａＳを主成分とする硫化物燐光体や、アルカリ土類硫化物の混合物を主成分とし、ビスマスおよびサマリウムを賦活剤として含むものなどを例示することができる。
【００４４】
発光材料としては、上述のような材料を例示することができるが、赤外波長から紫外線波長のいずれかの波長領域に励起スペクトルのピークを有し、この励起スペクトルのピーク波長と異なる領域に発光極大波長を有する光を発光する発光性色素であれば良く、これらに限定されるものではない。
【００４５】
赤外線吸収材料としては、例えば、カーボンブラックやシアニン化合物、フタロシアニン化合物、ジチオール金属錯体、ナフトキノン化合物、ジインモニウム化合物、アゾ化合物などを挙げることができるが、これらに限定されるものではない。このような近赤外線領域に吸収特性を有する色材は、単独または混合物、あるいはその他の色材との混合物などとして、用いることができる。
【００４６】
このような蛍光材料や赤外線吸収材料などを含む特殊インキを用いることにより、印刷
版によって形成された画像を損なうことなく、通常の環境下では認識することが困難な付加画像を設けることが可能となる。
【００４７】
また、上述の特殊インキによって形成された付加画像を読取る際には、適宜選定された発光特性を有するＬＥＤなどを光源とすることで、目視観察やフィルターを介したＣＣＤのような受光素子などを用いることにより、簡便な読取りが可能となる。
【００４８】
以上のように、本発明の偽造防止印刷方法を用いることにより、巻取りロールからなる基材上に連続的な画像を有する印刷物に対して、比較的安価に、かつ簡便に真偽識別可能な偽造防止機能を付与することが可能となる。
【符号の説明】
【００４９】
１    …  印刷機
１１  …  巻出部
１２  …  グラビア版
１３  …  インクジェット
１４  …  巻取部
２０  …  印刷版１周期分の印刷画面
２１  …  印刷版による印刷部
２２、２２’、２３、２３’、２４、２４’  …  付加画像部
２５−Ｘ  …  真正巻取りロール上印刷物
２５−Ｙ  …  偽造巻取りロール状印刷物
３１  …  印刷版による印刷部
３２、３３、３４  …  付加画像部
３５  …  巻取りロール状印刷物
４１  …  印刷版による印刷部
４２  …  ドットコード
【図１】
2018069562.tif 000003
【図２】
2018069562.tif 000004
【図３】
2018069562.tif 000005
【図４】
2018069562.tif 000006
【図５】
2018069562.tif 000007
【図６】
2018069562.tif 000008